(57)【要約】      （修正有）【課題】高圧アノード線の配置場所が組み立て時の状況による差異を生じにくく、高圧アノード線がよじれていたり、曲がり癖がある場合でも、低コストで確実に高圧アノード線と偏向ヨークとの絶縁空間距離を十分に確保できる高圧アノード線保持部材を提供する。【解決手段】板状部材である高圧アノード線保持部材６は、複数のピン４１のうち少なくとも２本がそれぞれ１本ずつ貫通する複数の貫通孔６２と、高圧アノード線３が係合するための切欠き部６１とを有し、貫通孔６２の周りには金属膜６２１が形成されている。貫通孔６２を貫通したピン４１と金属膜６２１とがはんだ付けされて、高圧アノード線保持部材６は固定される。【選択図】図２
2006025323.tif 000002
【特許請求の範囲】
【請求項１】
高周波高電圧を発生するフライバックトランスと、
前記フライバックトランスに接続されており高周波高電圧が印加されている高圧アノー
ド線と、
前記ＣＲＴの電子銃より出射される電子ビームを偏向する偏向ヨークと、
前記ＴＶ受像機の動作を制御する制御部と、
前記高圧アノード線と前記偏向ヨークとの間に絶縁空間距離を確保するための高圧アノ
ード線保持部材とを有しており、
前記偏向ヨークは周囲に電線が巻きつけられており、該電線の巻き始め及び巻き終わり
をまとめるピンを複数備えており、
前記高圧アノード線保持部材は、前記制御部を作成した残りの基板材料板にて形成され
、
前記高圧アノード線保持部材は前記複数のピンのうち少なくとも２本がそれぞれ１本ず
つ貫通する複数の貫通孔と、前記高圧アノード線が係合するための切欠き部とを有し、前
記貫通孔の周りは金属膜が形成されており、
前記隣り合う貫通孔の回りに形成された金属膜は互いに絶縁状態を保っており、前記貫
通孔を貫通したピンと前記金属膜とがはんだ付けされて固定されることを特徴とするＴＶ
受像機。
【請求項２】
高周波高電圧フライバックトランスと、
前記フライバックトランスに接続されており高周波高電圧が印加されている高圧アノー
ド線と、
前記ＣＲＴの電子銃より出射される電子ビームを偏向する偏向ヨークと、
前記ＴＶ受像機の動作を制御する制御部と、
前記高圧アノード線と前記偏向ヨークとの間に絶縁空間距離を確保するための高圧アノ
ード線保持部材とを有しており、
前記偏向ヨークは周囲に電線が巻きつけられており、該電線の巻き始め及び巻き終わり
をまとめるピンを複数備えており、
前記高圧アノード線保持部材は前記複数のピンのうち少なくとも２本がそれぞれ１本ず
つ貫通する複数の貫通孔と、前記高圧アノード線が係合するための切欠き部を有する板状
部材であり、
前記高圧アノード線保持部材は絶縁性材料で形成され、前記ピンが貫通する貫通孔の周
りは該ピンと接合可能な固定部を有しており、
前記貫通孔を貫通した前記ピンは隣り合うピン同士絶縁状態を保つと共に、前記貫通孔
を貫通したピンと前記固定部とが固定手段にて固定されることを特徴とするＴＶ受像機。
【請求項３】
高周波高電圧フライバックトランスと、前記フライバックトランスに接続されており高
周波高電圧が印加されている高圧アノード線と、電子銃より出射される電子ビームを偏向
する偏向ヨークと、前記ＴＶ受像機の動作を制御する制御部とを有するＴＶ受像機に備え
られており、前記高圧アノード線と前記偏向ヨークとの間に絶縁空間距離を確保する板状
の高圧アノード線保持部材であって、
前記高圧アノード線保持部材は他の基板を作成した基板材料板の残りで形成され、前記
偏向ヨークの周囲に巻きつけられる電線の巻き始め及び巻き終わりをまとめる複数のピン
のうち少なくとも２本がそれぞれ１本ずつ貫通する複数の貫通孔と、前記高圧アノード線
が係合するための切欠き部と、前記貫通孔の周りに金属膜とを有しており、
前記隣り合う金属膜は互いに絶縁状態を保っており、前記貫通孔を貫通したピンと前記
金属膜とがはんだ付けされて固定されることを特徴とする高圧アノード線保持部材。
【請求項４】
高周波高電圧フライバックトランスと、前記フライバックトランスに接続されており高
周波高電圧が印加されている高圧アノード線と、電子銃より出射される電子ビームを偏向
する偏向ヨークと、前記ＴＶ受像機の動作を制御する制御部とを有するＴＶ受像機に備え
られており、前記高圧アノード線と前記偏向ヨークとの間に絶縁空間距離を確保する高圧
アノード線保持部材であって、
前記高圧アノード線保持部材は絶縁性部材で形成され、前記偏向ヨークの周囲に巻きつ
けられる電線の巻き始め及び巻き終わりをまとめる複数のピンのうち少なくとも２本がそ
れぞれ１本ずつ貫通する複数の貫通孔と、前記高圧アノード線が係合するための切欠き部
を有しており、
前記ピンが貫通する貫通孔の周りは該ピンと接合可能な固定部が形成されており、前記
ピン同士が絶縁状態で且つ貫通孔を貫通したピンと前記固定部とが固定手段にて固定され
ていることを特徴とする高圧アノード線保持部材。
【発明の詳細な説明】
【技術分野】
【０００１】
本発明はＣＲＴ方式のＴＶ受像機のアノード線が偏向ヨークに接触しないように該アノ
ード線を保持する高圧アノード線保持部材及びそれを用いたＴＶ受像機に関するものであ
る。
【背景技術】
【０００２】
従来、ＣＲＴ方式のＴＶ受像機は、高周波高電圧を発生するフライバックトランスにて
発生した高周波高電圧をＣＲＴのアノードに印加するための高圧アノード線を有している
。
【０００３】
図４に従来のＣＲＴ方式のＴＶ受像機の背面図を示す。図４に示すＴＶ受像機Ｂは背面
のカバーが取り外された状態である。ＴＶ受像機Ｂは、ＣＲＴ９１と、高周波高電圧を発
生するフライバックトランス９２と、フライバックトランス９２ので発生した高周波高電
圧をＣＲＴ９１のアノードに印加する高圧アノード線９３と、ＣＲＴ９１に備えられてい
る電子銃（図示省略）より出射された電子ビームを偏向するための偏向ヨーク９４と、基
板９５とを有している。
【０００４】
高圧アノード線９３には上述のとおり高電圧が印加されており放電により偏向ヨーク９
４の不具合、破損を防ぐために、印加電圧に応じた十分な絶縁空間距離を確保しなくては
ならない。そこで、高圧アノード線９３からの放電を防止するために高圧アノード線保持
部材９６が備えられる。
【０００５】
図５に高圧アノード線保持部材の図を示す。高圧アノード線保持部材９６は、リング状
の本体部９６１の中央に高圧アノード線９３を係合する係合部９６２を有している。本体
部９６１と係合部９６２とは、数箇所（ここでは４箇所）の支持部９６３で等距離になる
ように支持されている。本体部９６１がリング状であることより、高圧アノード線９３が
どの方向に押えられても、一定の絶縁空間距離を確保することができる。
【特許文献１】実開平６−６０１８４号公報
【特許文献２】実開昭６１−１８６１５７号公報
【特許文献３】特開平５−６７８８７号公報
【特許文献４】特開平６−１３２６７４号公報
【発明の開示】
【発明が解決しようとする課題】
【０００６】
しかしながら、上述したような高圧アノード線保持部材９６は、明確に決められた設置
場所があるわけではないので、組み立て時の状況によって異なってくる。これによると、
高圧アノード線保持部材９６を取り付けることで、必ずしも高圧アノード線９３と偏向ヨ
ーク９４との間に十分な絶縁空間距離を確保することができない場合もありえる。
【０００７】
また、高圧アノード線９３がよじれていたり、曲がり癖がある場合、高圧アノード線９
３にリング形状の高圧アノード線保持部材９６を取り付けても、高圧アノード線９３のよ
じれや曲がり癖によって高圧アノード線９３が偏向ヨーク９３４に接触して電流が流れた
り、接近して放電したりして映像に悪影響を与えたり、破壊したりする可能性がある。
【０００８】
さらに、従来用いられているリング状の高圧アノード線保持部材９６は、射出成形等の
樹脂成形法を用いて作成するので、金型、成形装置等必要になり、それだけ、作成にコス
トがかかる。
【０００９】
そこで本発明は、高圧アノード線の配置場所が組み立て時の状況による差異を生じにく
く、前記高圧アノード線がよじれていたり、曲がり癖がある場合でも、確実に高圧アノー
ド線と偏向ヨークとの絶縁空間距離を十分に確保することを目的とする。
【００１０】
また本発明は、低コストで高圧アノード線と偏向ヨークとの絶縁空間距離を十分に且つ
確実に確保することを目的とする。
【課題を解決するための手段】
【００１１】
上記目的を達成するために請求項１の発明は、ＣＲＴを備えるＴＶ受像機であって、高
周波高電圧を発生するフライバックトランスと、前記フライバックトランスに接続されて
おり高周波高電圧が印加されている高圧アノード線と、前記ＣＲＴの電子銃より出射され
る電子ビームを偏向する偏向ヨークと、前記ＴＶ受像機の動作を制御する制御部と、前記
高圧アノード線と前記偏向ヨークとの間に絶縁空間距離を確保するための高圧アノード線
保持部材とを有しており、前記偏向ヨークは周囲に電線が巻きつけられており、該電線の
巻き始め及び巻き終わりをまとめるピンを複数備えており、前記高圧アノード線保持部材
は、前記制御部を作成した残りの基板材料板にて形成され、前記高圧アノード線保持部材
は前記複数のピンのうち少なくとも２本がそれぞれ１本ずつ貫通する複数の貫通孔と、前
記高圧アノード線が係合するための切欠き部とを有し、前記貫通孔の周りは金属膜が形成
されており、前記隣り合う貫通孔の回りに形成された金属膜は互いに絶縁状態を保ってお
り、前記貫通孔を貫通したピンと前記金属膜とがはんだ付けされて固定されることを特徴
とする。
【００１２】
この構成によると、前記偏向ヨークの電線の巻き始め及び巻き終わりのピンに係合する
貫通孔を有する高圧アノード線保持部材を配置するので、前記高圧アノード線と前記偏向
ヨークとの間の絶縁空間距離を一定又は略一定に保つことができる。
【００１３】
また、前記高圧アノード線保持部材の貫通孔に前記偏向ヨークのピンを貫通させて固定
するので、組み立て時の状況にかかわらず前記偏向ヨークと前記高圧アノード線の間の絶
縁空間距離を安定して所定の長さに保つことができる。
【００１４】
さらに、前記高圧アノード線保持部材は、前記ＴＶ受像機を製造するのに用いる基板材
料板のうち、基板を作成した残りを用いて製造するので無駄が少なく省エネであり、製造
コストも削減することができる。
【００１５】
これにより、前記高圧アノード線と前記偏向ヨークが接触したり、接近して放電したり
することで、前記放電ヨークに悪影響をもたらし、画質を低下させたり、故障したりする
ことを防止することができる。
【００１６】
上記目的を達成するために請求項２の発明は、ＣＲＴを備えるＴＶ受像機であって、高
周波高電圧フライバックトランスと、前記フライバックトランスに接続されており高周波
高電圧が印加されている高圧アノード線と、前記ＣＲＴの電子銃より出射される電子ビー
ムを偏向する偏向ヨークと、前記ＴＶ受像機の動作を制御する制御部と、前記高圧アノー
ド線と前記偏向ヨークとの間に絶縁空間距離を確保するための高圧アノード線保持部材と
を有しており、前記偏向ヨークは周囲に電線が巻きつけられており、該電線の巻き始め及
び巻き終わりをまとめるピンを複数備えており、前記高圧アノード線保持部材は前記複数
のピンのうち少なくとも２本がそれぞれ１本ずつ貫通する複数の貫通孔と、前記高圧アノ
ード線が係合するための切欠き部を有する板状部材であり、前記高圧アノード線保持部材
は絶縁性材料で形成され、前記ピンが貫通する貫通孔の周りは該ピンと接合可能な固定部
を有しており、前記貫通孔を貫通した前記ピンは隣り合うピン同士絶縁状態を保つと共に
、前記貫通孔を貫通したピンと前記固定部とが固定手段にて固定されることを特徴とする
。
この構成によると、前記偏向ヨークの電線の巻き始め及び巻き終わりのピンに係合する貫
通孔を有する高圧アノード線保持部材を配置するので、前記高圧アノード線と前記偏向ヨ
ークとの間の絶縁空間距離を一定又は略一定に保つことができる。
【００１７】
また、前記高圧アノード線保持部材の貫通孔に前記偏向ヨークのピンを貫通させて固定
するので、組み立て時の状況にかかわらず前記偏向ヨークと前記高圧アノード線の間の絶
縁空間距離を安定して所定の長さに保つことができる。
【００１８】
これにより、前記高圧アノード線と前記偏向ヨークが接触したり、接近して放電したり
することで、前記放電ヨークに悪影響をもたらし、画質を低下させたり、故障したりする
ことを防止することができる。
【００１９】
上記目的を達成するために請求項３の発明は、高周波高電圧フライバックトランスと、
前記フライバックトランスに接続されており高周波高電圧が印加されている高圧アノード
線と、電子銃より出射される電子ビームを偏向する偏向ヨークと、前記ＴＶ受像機の動作
を制御する制御部とを有するＴＶ受像機に備えられており、前記高圧アノード線と前記偏
向ヨークとの間に絶縁空間距離を確保する板状の高圧アノード線保持部材であって、前記
高圧アノード線保持部材は前記制御部を作成した基板材料板の残りで形成され、前記偏向
ヨークの周囲に巻きつけられる電線の巻き始め及び巻き終わりをまとめる複数のピンのう
ち少なくとも２本がそれぞれ１本ずつ貫通する複数の貫通孔と、前記高圧アノード線が係
合するための切欠き部と、前記貫通孔の周りに金属膜とを有しており、前記隣り合う金属
膜は互いに絶縁状態を保っており、前記貫通孔を貫通したピンと前記金属膜とがはんだ付
けされて固定されることを特徴とする。
この構成によると、前記偏向ヨークの電線の巻き始め及び巻き終わりのピンに係合する貫
通孔を有する高圧アノード線保持部材を配置するので、前記高圧アノード線と前記偏向ヨ
ークとの間の絶縁空間距離を一定又は略一定に保つことができる。
【００２０】
また、前記高圧アノード線保持部材の貫通孔に前記偏向ヨークのピンを貫通させて固定
するので、組み立て時の状況にかかわらず前記偏向ヨークと前記高圧アノード線の間の絶
縁空間距離を安定して所定の長さに保つことができる。
【００２１】
上記目的を達成するために請求項４の発明は、高周波高電圧フライバックトランスと、
前記フライバックトランスに接続されており高周波高電圧が印加されている高圧アノード
線と、電子銃より出射される電子ビームを偏向する偏向ヨークと、前記ＴＶ受像機の動作
を制御する制御部とを有するＴＶ受像機に備えられており、前記高圧アノード線と前記偏
向ヨークとの間に絶縁空間距離を確保する高圧アノード線保持部材であって、前記高圧ア
ノード線保持部材は絶縁性部材で形成され、前記偏向ヨークの周囲に巻きつけられる電線
の巻き始め及び巻き終わりをまとめる複数のピンのうち少なくとも２本がそれぞれ１本ず
つ貫通する複数の貫通孔と、前記高圧アノード線が係合するための切欠き部を有しており
、前記ピンが貫通する貫通孔の周りは該ピンと接合可能な固定部が形成されており、前記
ピン同士が絶縁状態で且つ貫通孔を貫通したピンと前記固定部とが固定手段にて固定され
ていることを特徴とする。
この構成によると、前記偏向ヨークの電線の巻き始め及び巻き終わりのピンに係合する貫
通孔を有する高圧アノード線保持部材を配置するので、前記高圧アノード線と前記偏向ヨ
ークとの間の絶縁空間距離を一定又は略一定に保つことができる。
【００２２】
また、前記高圧アノード線保持部材の貫通孔に前記偏向ヨークのピンを貫通させて固定
するので、組み立て時の状況にかかわらず前記偏向ヨークと前記高圧アノード線の間の絶
縁空間距離を安定して所定の長さに保つことができる。
【発明の効果】
【００２３】
本発明によると、高圧アノード線の配置場所が組み立て時の状況による差異を生じにく
く、前記高圧アノード線がよじれていたり、曲がり癖がついていたりする場合でも、確実
に高圧アノード線と偏向ヨークとの絶縁空間距離を十分に確保できるＴＶ受像機及び高圧
アノード線保持部材を提供することができる。
【００２４】
また本発明によると、低コストで高圧アノード線と偏向ヨークとの絶縁空間距離を十分
に且つ確実に確保できるＴＶ受像機及び高圧アノード線保持部材を提供することができる
。。
【発明を実施するための最良の形態】
【００２５】
以下に本発明の実施形態を図面を参照して説明する。図１（Ａ）に本発明にかかるＴＶ
受像機の背面図を、図１（Ｂ）に図１（Ａ）に示すＴＶ受像機のＣＲＴ部の平面図を示す
。図１（Ａ）に示すＴＶ受像機Ａは背面のカバーが取り外された状態である。図１（Ａ）
、（Ｂ）に示すようにＴＶ受像機Ａは、ＣＲＴ１と、高周波高電圧を発生するフライバッ
クトランス２と、フライバックトランス２ので発生した高周波高電圧をＣＲＴ１のアノー
ドに印加する高圧アノード線３と、ＣＲＴ１に備えられている電子銃（図示省略）より出
射された電子ビームを偏向するための偏向ヨーク４と、基板５を有している。
【００２６】
高圧アノード線３には高電圧が印加されておりＣＲＴ１のアノードに接続されている。
高圧アノード線３が偏向ヨーク４に接触、近接による放電等により偏向ヨーク４に不具合
、破損が発生する。偏向ヨーク４の不具合、破損を防ぐために、高圧アノード線３への印
加電圧に応じた十分な絶縁空間距離Ｌを確保しなくてはならない。
【００２７】
そこで、高圧アノード線３と偏向ヨーク４との間の十分な絶縁空間距離を確保する高圧
アノード線保持部材６が備えられる。高圧アノード線保持部材６には偏向ヨーク４に備え
られている後述のピン４１が貫通しており、高圧アノード線保持部材６とピン４１とを固
定することで、絶縁空間距離を確保することができる。
【００２８】
図２（Ａ）に図１に示す本発明にかかる高圧アノード線保持部材の拡大斜視図を、図２
（Ｂ）本発明にかかる高圧アノード線保持部材の平面図を、図２（Ｃ）に図２（Ｂ）に示
す高圧アノード線保持部材を装着した状態のＸ−Ｘ断面図を示す。図２（Ａ）、（Ｂ）に
示すように、高圧アノード線保持部材６は、平面視矩形状の板材であり、一方の端部６０
１の中央部には切欠き部６１が形成されている。また、他方の端部６０２には貫通孔６２
が３箇所に形成されている。
【００２９】
図２（Ａ）に示すように高圧アノード線保持部材６の切欠き部６１には高圧アノード線
３が係合されている。また、貫通孔６２には後述するピン４１が係合している。高圧アノ
ード線保持部材６は絶縁性を有する材料で形成されており、高圧アノード線３からピン４
１電流が流れるのを防いでいる。ピン４１はそれには限らないがここでは、偏向ヨーク４
の上部より突出しており、十分な強度を有している。
【００３０】
図２（Ａ）、（Ｃ）に示すように高圧アノード線保持部材６の貫通孔６２には、ピン４
１が貫通している。このピン４１は偏向ヨーク４に巻きつけられる電線の巻き始め部及び
巻き終わり部が形成されるものである。ピン４１に巻き始め部及び巻き終わり部がはんだ
付けにて固定されている。高圧アノード線保持部材６の貫通孔６２の周りには金属膜が形
成された固定部６２１が形成されており、はんだ付けができるように形成されている。こ
のピン４１が高圧アノード線保持部材６の貫通孔６２を貫通し、固定部６２１にはんだ付
けすることで固定している。
【００３１】
図２（Ｂ）に示すように貫通孔６２の周りに形成された固定部６２１は他の固定部と非
接触で形成されている。つまり、隣り合う固定部６２１の金属膜が非接触で形成されてい
ることで、固定部６２１にはんだ付けされるピン４１もそれぞれ互いに絶縁状態を保つこ
とができ、ピン４１同士が導通状態になることで発生する投影画像への悪影響を防止する
ことができる。
【００３２】
また、高圧アノード線３には高周波高電圧が印加されており、高圧アノード線３が偏向
ヨーク４に接触したり、近づいて放電したりすると画像が乱れたり、故障の原因になった
りする。高圧アノード線保持部材６の切欠き部６１に高圧アノード線３を係合することで
、高圧アノード線３の動きを拘束することができるとともに、高圧アノード線３と偏向ヨ
ーク４の間に一定の絶縁空間距離Ｌを保つことができる。これにより、ＴＶ受像機の不具
合の発生を低減することができる。
【００３３】
図３に本発明にかかる図２各図に示す高圧アノード線保持部材の製造手順を示す。まず
、基板材料板７から、必要な基板５をカットして取り除く。基板５が取り除かれた基板材
料板７は従来廃棄していたが、残った基板材料板７を高圧アノード線保持部材６を形成す
るのに必要な大きさに分割し、切欠き部６１及び貫通孔６２を形成する。基板表面には導
電性の金属膜が形成されているが、切欠き部６１及び各貫通孔６２が互いに絶縁状態にな
るように金属膜を取り除く。このとき、貫通孔６２の周りには固定部６２１として金属膜
を残しておく。この金属膜を取り除く方法は多くの方法が考えられるが、例えばエッチン
グによる金属膜除去方法を挙げることができる。
【００３４】
このように、基板５を取り除いた残りの基板材料板７を利用して、高圧アノード線保持
部材６を作成するので、従来の射出成形を利用したもののように、金型を作らなくてもよ
く、また、従来破棄していたものを材料として作るので大幅なコストダウンを行うことが
できる。また、高圧アノード線保持部材６の材料として基板材料板７の残りを利用するも
のを例示しているが、それに限定されるものではなく、絶縁性の材料を広く採用すること
ができる。特に、ＴＶ受像機Ａを製造するときの材料の残りのうち十分な強度を有し、十
分な絶縁性を有しているものを利用することが好ましい。
【００３５】
上述の高圧アノード線保持部材６は貫通孔６２を３個備えたものを例示しているがそれ
に限定されるものではなく、偏向ヨーク４のピン４１の数にあわせ、且つ、高圧アノード
線３を安定して保持できるものを広く採用することができる。また、ピン４１と固定部６
２１とをはんだ付けにて固定するものを例示しているが、それに限定されるものではなく
、接着剤による接着等、ピン４１と固定部６２１とを固定する固定方法を広く採用するこ
とができる。このとき、固定部６２１の金属膜は必要に応じて形成されるものである。ま
た、高圧アノード線保持部材６の高圧アノード線３の係合部として切欠き部６１を例示し
ているが、それに限られるものではなく、高圧アノード線３を保持でき、絶縁距離を十分
にとることができるものを広く採用できる。
【図面の簡単な説明】
【００３６】
【図１】本発明にかかるＴＶ受像機の一例の背面図である。
【図２】図（Ａ）は本発明にかかる高圧アノード線保持部材の一例の拡大斜視図であり、図（Ｂ）は図（Ａ）に示す高圧アノード線保持部材の平面図であり、図（Ｃ）は図（Ｂ）に示す高圧アノード線保持部材のＸ−Ｘ断面図である。
【図３】本発明にかかる高圧アノード線保持部材の製造手順を示す概略図である。
【図４】従来のＴＶ受像機の一例の背面図である。
【図５】従来の高圧アノード線保持部材の一例の正面図である。
【符号の説明】
【００３７】
Ａ  ＴＶ受像機
１  ＣＲＴ
２  フライバックトランス
３  高圧アノード線
４  偏向ヨーク
４１  ピン
５  基板
６  高圧アノード線保持部材
６１  切欠き部
６２  貫通孔
６２１  固定部
７  基板材料板
【図１】
2006025323.tif 000003
【図２】
2006025323.tif 000004
【図３】
2006025323.tif 000005
【図４】
2006025323.tif 000006
【図５】
2006025323.tif 000007